(57)【要約】【課題】紙幣束を一括投入する紙幣投入口からの不正な紙幣の抜き取りを抑制する。【解決手段】紙幣束投入口が、前記紙幣束を湾曲させて投入できるように、全体が湾曲した形状であることを特徴とする。また、紙幣投入口の全部若しくは一部を閉塞且つ開口可能であって、開口時には湾曲した前記紙幣投入口の下縁形状に沿って前面方向に突出し且つ前記投入口の開口時には前記紙幣束投入口に向かって傾斜する紙幣束投入補助部を備え、該紙幣束投入補助部は前記紙幣束投入口を閉塞するように付勢手段によって付勢されていることを特徴とする。また、前記紙幣束投入補助部は、前記紙幣束投入口の下縁側中央の一部を共通として延在し、該共通部付近に回動中心を設け、該回動中心より紙幣収容庫本体の外側にあっては略扇形であり、該装置本体の内側にあっては先端部付近まで直線状で先端部に錘を備えた形状であることを特徴とする。【選択図】図１
2010244153.tif 000002
【特許請求の範囲】
【請求項１】
貨幣収蔵装置から回収した貨幣を処理する為の貨幣処理装置に設けられ、複数枚の紙幣を整列積みにして所定枚数以下の枚数分を束にした紙幣を収容する紙幣収容庫であって、
紙幣束投入口が、前記紙幣束を湾曲させて投入できるように、全体が湾曲した形状であることを特徴とする紙幣収容庫。
【請求項２】
前記請求項１に記載の紙幣収容庫において、
前記紙幣投入口の全部若しくは一部を閉塞且つ開口可能であって、開口時には湾曲した前記紙幣投入口の下縁形状に沿って前面方向に突出し、且つ前記紙幣束投入口に向かって傾斜する紙幣束投入補助部を備え、
該紙幣束投入補助部は前記紙幣束投入口を閉塞するように付勢手段によって付勢されていることを特徴とする紙幣収容庫。
【請求項３】
前記請求項２に記載の紙幣収容庫において、
前記紙幣束投入補助部は、前記紙幣束投入口の下縁側中央の一部を共通として延在し、
該共通部付近に回動中心を設け、該回動中心より紙幣収容庫本体の外側にあっては略扇形であり、該装置本体の内側にあっては先端部付近まで直線状で先端部に錘を備えた形状であることを特徴とする紙幣収容庫。 
【発明の詳細な説明】
【技術分野】
【０００１】
本発明は、貨幣収蔵装置から貨幣を回収し貨幣計数後収容する車載用貨幣処理装置における紙幣収容庫の紙幣束投入口に関し、該紙幣束投入口からの不正な紙幣の抜き取りを抑止する技術に関するものである。
【背景技術】
【０００２】
従来、例えば特許文献１に示すように、自動販売機等の貨幣収蔵装置に収蔵された売上金の回収は、自動販売機の商品補充と一緒に行えるように、補充用の商品を積載した車両に車載用金庫付硬貨計数機を搭載している。そして、この車載用金庫付硬貨計数機は、車両の荷台に設置する箱型の装置で、硬貨計数ユニットと金庫ユニットを備えている。
【０００３】
商品補充や売上金回収を行う作業員は、車載用金庫付硬貨計数機が搭載された車両で自動販売機の設置された場所へ行き、自動販売機に商品を補充する。その際、自動販売機に収蔵された硬貨と紙幣を回収するとともに、携帯端末機で自動販売機と交信して売上金データを収集する。そして、回収した硬貨と紙幣を車両に持ち帰り、硬貨を硬貨計数ユニットに投入して計数し、紙幣は別途計数する。回収した硬貨と紙幣についての計数データは携帯端末によって収集するようになっている。この時、計数後の紙幣は、金庫ユニットの所定の場所に収納する。
【先行技術文献】
【特許文献】
【０００４】
【特許文献１】特許第３６５８４９８号公報
【発明の概要】
【発明が解決しようとする課題】
【０００５】
自動販売機等の収蔵貨幣の回収にあたっては、作業員が常に車両内にとどまることはなく、車両を離れる場合もあるため、金庫ユニットの防盗性については十分に確保する必要がある。上記のような従来の車載用金庫付硬貨計数機によれば、硬貨と紙幣も同じ金庫ユニット内へ収納でき、金庫ユニットは車体に強固に固定されるとともに強固な金庫用枠体部で被われる。
【０００６】
しかしながら、従来の金庫ユニットにおける紙幣収納は、紙幣投入口に計数された紙幣を束にして一括投入するものなので、開口寸法が大きく、紙幣収納箱を金庫化しても、開口若しくは開口可能な紙幣投入口から収納されている紙幣を抜き出すことは可能である。
【０００７】
本発明は、上記のような不正な紙幣の抜き取りを抑制することができる紙幣収容庫を提供することを目的とする。
【課題を解決するための手段】
【０００８】
上記目的を達成するために、請求項１記載の本発明は、貨幣収蔵装置から回収した貨幣を処理する為の貨幣処理装置に設けられ、複数枚の紙幣を整列積みにして所定枚数以下の枚数分を束にした紙幣を収容する紙幣収容庫であって、紙幣束投入口が、前記紙幣束を湾曲させて投入できるように、全体が湾曲した形状であることを特徴とする紙幣収容庫をもって解決手段とする。
【０００９】
また請求項２記載の本発明は、請求項１記載の紙幣収容庫において、前記紙幣投入口の全部若しくは一部を閉塞且つ開口可能であって、開口時には湾曲した前記紙幣投入口の下縁形状に沿って前面方向に突出し且つ前記紙幣束投入口に向かって傾斜する紙幣束投入補助部を備え、該紙幣束投入補助部は前記紙幣束投入口を閉塞するように付勢手段によって付勢されていることを特徴とする紙幣収容庫をもって解決手段とする。
【００１０】
また請求項３記載の本発明は、前記請求項２の紙幣収容庫において、前記紙幣束投入補助部は、前記紙幣束投入口の下縁側中央の一部を共通として延在し、該共通部付近に回動中心を設け、該回動中心より紙幣収容庫本体の外側にあっては略扇形であり、該装置本体の内側にあっては先端部付近まで直線状で先端部に錘を備えた形状であることを特徴とする紙幣収容庫をもって解決手段とする。
【発明の効果】
【００１１】
本発明によれば、紙幣束投入口が湾曲しているので、収容されている紙幣の該紙幣束投入口からの抜き出しが困難となる。更に、該紙幣束投入口を閉塞する紙幣束投入補助部が傾斜した位置までの開口となるので、前記紙幣束投入口からの抜き出しがより困難となるため、この投入口からの紙幣抜き出しという不正を抑制することができる。
【図面の簡単な説明】
【００１２】
【図１】図１は、本実施形態の貨幣処理装置の全体構成を示す斜視図である。
【図２】図２は、本実施形態の貨幣処理装置の正面図である。
【図３】図３は、図２のＡ部拡大図であり、紙幣束投入補助部によって紙幣束投入口を塞いでいる状態を示す図である。
【図４】図４は、図２のＡ部拡大図であり、紙幣束投入口が開口された状態を示す図である。
【図５】図５は、紙幣束投入口が開口された状態を示す図４の斜視図である。
【図６】図６は、紙幣束投入口が開口された状態を示す図４のＢ−Ｂ断面図である。
【発明を実施するための形態】
【００１３】
以下、本発明の実施の形態に係る紙幣収容庫について、添付図面を参照して詳細に説明する。
【実施例】
【００１４】
図１及び図２において、貨幣処理装置１の紙幣収容庫２は、硬貨処理装置３と並列して設けられている。紙幣収容庫２と硬貨処理装置３には、それぞれ収容した紙幣及び硬貨の不正な持ち出しを防ぐ為に、紙幣収容庫２には紙幣束収容部２４が、硬貨処理装置３には硬貨収容部鍵３４が各々に設けられている。
【００１５】
図３において、紙幣束投入口２０は紙幣束投入補助部２１によって閉塞された状態であり、図４及び図５においては、紙幣束投入補助部２１が回動して紙幣束投入口２０を開口した状態にある。
【００１６】
紙幣束投入補助部２１は、紙幣束投入口２０の下縁中央部の一部を共通とした面を持ち、紙幣束投入口２０の近くで紙幣収容部の内部に回動の中心となる回転軸２３によって回動可能になっている（図５）。そして、回転軸２３から紙幣収容部内部方向に延在した終端には、球形の錘２２を設けている（図６）。
【００１７】
このような構成において、紙幣束投入補助部２１が回動を終了しても装置正面から視て紙幣束投入口２０の全体が開口されないように、所定の角度に回動すると紙幣束収納部２０の正面にあたって、その回動に制限がなされ、回動を終了しても紙幣束投入補助部は傾斜した状態になる（図５及び図６）。そして、紙幣束の投入を終了し手を放すと、先端に設けた錘２２の重さによって、元の状態である紙幣束投入口２０を閉塞する状態に戻る。
【００１８】
また、紙幣束投入口２０は、その両端部が上にあがり中央が下に凸するような、全体として湾曲形状となっている（図４）。
【００１９】
上記の構成である貨幣処理装置１は車両に搭載されて使用される。作業者は、回収した硬貨を硬貨処理装置３に投入し、紙幣は計数後束にして紙幣束投入口２０へ投入する。この時、紙幣束投入補助部２１を回動させ、回動が終了しても手で支えて状態を維持し、紙幣束投入補助部２１に沿って紙幣束を紙幣束投入口２０に向かわせ、そして投入することができる。
【００２０】
投入後、紙幣束投入補助部２１から手を放すと、球形の錘２２によって、紙幣束投入補助部２１は元の位置に戻り、紙幣束投入口２０を閉塞する。
【００２１】
硬貨処理装置３及び紙幣収容庫２のそれぞれに収容されている硬貨及び紙幣を取り出すには、硬貨収容部鍵３４及び紙幣収容部鍵２４を開錠し、硬貨収容部扉３５及び紙幣収容部扉２５を開けて行う。
【００２２】
上記の実施例のようにすれば、紙幣束投入口２０の開口寸法が大きくても、投入口自体が湾曲し且つ紙幣投入補助部２１が邪魔となって、紙幣束投入口２０からの不正な紙幣の抜き取りを抑止することが出来る。
【００２３】
尚、上記実施例における紙幣束投入補助部の錘２２は球形であるが、錘の形は球形にとらわれることなく、立方体形状や円錐形状など、紙幣の投入を妨げない形状であればどのような形状であっても良い。また、紙幣束投入補助部２１は、その回動によって紙幣束投入口２０の開口と閉塞をするようにしたが、回動のみならず、滑動や摺動によるものでも良い。
【符号の説明】
【００２４】
１  貨幣処理装置
２  紙幣収容庫
３  硬貨処理装置
２０  紙幣束投入口
２１  紙幣束投入補助部
２２  紙幣束投入補助部の錘
２３  紙幣束投入補助部の回転軸
２４  紙幣収納部鍵
２５  紙幣収容部扉
３４  硬貨収容部鍵
３５  硬貨収容部扉
【図１】
2010244153.tif 000003
【図２】
2010244153.tif 000004
【図３】
2010244153.tif 000005
【図４】
2010244153.tif 000006
【図５】
2010244153.tif 000007
【図６】
2010244153.tif 000008